【事件の表示】
　特許第３４０００３０号「塗膜転写具」の請求項１、２に係る特許に対する特許異議の申立てについて、次のとおり決定する。
【結　論】
　訂正を認める。
　特許第３４０００３０号の請求項１ないし２に係る特許を維持する。
【理　由】
１．手続の経緯
　本件特許第３４０００３０号の請求項１及び２に係る発明についての出願は、平成５年９月９日に特許出願され、平成１５年２月２１日にその特許権の設定の登録がなされ、その特許について、枝木幸二より特許異議の申し立てがなされ、取消理由通知がなされ、その指定期間内である平成１６年３月２９日に訂正請求（後日取り下げ）がなされ、その後、再度の取消理由通知がなされ、その指定期間内の平成１６年８月２４日に訂正請求がなされたものである。
　　　
２．訂正の適否
（１）訂正の内容
　特許権者の求めている訂正の内容は、以下のとおりである（訂正箇所にアンダーラインを付した。）。
　ア．訂正事項ａ
　特許請求の範囲の
「【請求項１】 転写具ケース（Ｃ）に固定してある支軸（６）に筒軸（８）が回転自在に支承され、転写リボン（Ｒ）の巻付けコア（１）が、前記筒軸（８）に、当該筒軸（８）と一体回転する状態で装脱自在に支承されているとともに、前記転写リボン（Ｒ）の走行に連動して当該転写リボン（Ｒ）の走行力で前記筒軸（８）を回転させる連動機構（１３）が設けられている塗膜転写具において、前記支軸（６）側と前記筒軸（８）側とに亘って、前記支軸（６）に支承した前記筒軸（８）の当該支軸（６）からの抜け出し方向への移動を規制する規制部（１９）が設けられている塗膜転写具。
【請求項２】 前記規制部（１９）が、前記支軸（６）と、当該支軸（６）に支承した前記筒軸（８）とを係合させる係合部材（２０）を係合解除位置に弾性的に移動可能に設けて構成され、前記筒軸（８）の前記支軸（６）への装着操作にともなって、前記係合部材（２０）を係合解除位置に押圧移動させる押圧面（２１）が設けられている請求項１記載の塗膜転写具。」
を、
「【請求項１】 転写具ケース（Ｃ）に固定してある支軸（６）に筒軸（８）が回転自在に支承され、転写リボン（Ｒ）の巻付けコア（１）が、前記筒軸（８）に、当該筒軸（８）と一体回転する状態で装脱自在に支承されているとともに、前記転写リボン（Ｒ）の走行に連動して当該転写リボン（Ｒ）の走行力で前記筒軸（８）を回転させる連動機構（１３）が設けら
れ、この連動機構（１３）を構成する転写リボン走行連動用のプーリー（１０）又はギヤを前記筒軸（８）に設けてある
　
前記支軸（６）に支承した前記筒軸（８）の当該支軸（６）からの抜け出し方向への移動を規制する規制部（１９）を構成するのに、
　
前記支軸（６）にスリット状の切欠き部（１７），（１７）を軸芯方向に沿って形成し、
　
それら切欠き部（１７），（１７）で二分割された前記支軸（６）の一対の軸部材（６ａ），（６ａ）夫々の軸芯方向略中間部における外周に突起（６ｂ），（６ｂ）を形成し、
　
前記筒軸（８）の支軸挿入孔（１８）に、挿入始端側の小径部（１８ａ）とそれに続く挿入終端側の大径部（１８ｂ）とを形成し、
　
前記筒軸（８）の前記支軸（６）に対する嵌め込みにおいて、前記突起（６ｂ），（６ｂ）が前記小径部（１８ａ）にある状態では、前記一対の軸部材（６ａ），（６ａ）が軸芯側へ弾性的に倒れ変形した状態になり、かつ、前記突起（６ｂ），（６ｂ）が前記小径部（１８ａ）と前記大径部（１８ｂ）の間の段部（１８ｃ）を大径部側へ超えると前記一対の軸部材（６ａ），（６ａ）が弾性的に復帰移動する構造にしてある
【請求項２】 前記筒軸（８）の前記支軸（６）への装着操作にともなって
前記突起（６ｂ），（６ｂ）への接当により前記一対の軸部材（６ａ），（６ａ）を軸芯側へ弾性的に倒れ変形させる押圧面（２１）を、前記筒軸（８）における前記支軸挿入孔（１８）の挿入始端側開口縁部に、挿入始端側ほど前記支軸挿入孔（１８）の孔径を大きくするように形成してある
と訂正する。
　イ．訂正事項ｂ      
　段落【０００５】を、
　「上記目的を達成する為の本発明の特徴構成は、
転写具ケースに固定してある支軸に筒軸が回転自在に支承され、転写リボンの巻付けコアが、前記筒軸に、当該筒軸と一体回転する状態で装脱自在に支承されているとともに、前記転写リボンの走行に連動して当該転写リボンの走行力で前記筒軸を回転させる連動機構が設けられ、この連動機構を構成する転写リボン走行連動用のプーリー又はギヤを前記筒軸に設けてある
前記支軸に支承した前記筒軸の当該支軸からの抜け出し方向への移動を規制する規制部を構成するのに、前記支軸にスリット状の切欠き部を軸芯方向に沿って形成し、それら切欠き部で二分割された前記支軸の一対の軸部材夫々の軸芯方向略中間部における外周に突起を形成し、前記筒軸の支軸挿入孔に、挿入始端側の小径部とそれに続く挿入終端側の大径部とを形成し、前記筒軸の前記支軸に対する嵌め込みにおいて、前記突起が前記小径部にある状態では、前記一対の軸部材が軸芯側へ弾性的に倒れ変形した状態になり、かつ、前記突起が前記小径部と前記大径部の間の段部を大径部側へ超えると前記一対の軸部材が弾性的に復帰移動する構造にしてある
前記突起への接当により前記一対の軸部材を軸芯側へ弾性的に倒れ変形させる押圧面を、前記筒軸における前記支軸挿入孔の挿入始端側開口縁部に、挿入始端側ほど前記支軸挿入孔の孔径を大きくするように形成しもよい
と訂正する。
　ウ．訂正事項ｃ
　段落【０００６】における「更に請求項２記載の塗膜転写具の場合は、・・・規制できる。」を削除する。
　エ．訂正事項ｄ
　段落【００１３】における「前記第１支軸６と繰り出しコア用筒軸８とに亘って、」を削除する。
　オ．訂正事項ｅ
　段落【００１４】における
「また、前記繰り出しコア用筒軸８の第１支軸６が挿入される孔１８には、分割ケース部材Ｃ１側に装着される小径部１８ａと板状保持部材３側の大径部１８ｂとが形成されているとともに、繰り出しコア用筒軸８の軸芯方向略中間部に段部１８ｃが形成され、小径部１８ａの第１支軸６への挿入始端側に、繰り出しコア用筒軸８の第１支軸６への押し込み操作にともなって、係合部材２０を係合解除位置に移動させる押圧面２１が形成されている。」
を
「また、前記繰り出しコア用筒軸８の第１支軸６が挿入される孔１８には、分割ケース部材Ｃ１側
（すなわち、挿入始端側）の
（すなわち、挿入終端側）
（詳しくは、図３に示す如く繰り出しコア用筒軸８における支軸挿入孔１８の挿入始端側開口縁部）には、
（具体的には、突起６ｂ，６ｂへの接当により一対の軸部材６ａ，６ａを軸芯側へ弾性的に倒れ変形）
、挿入始端側ほど支軸挿入孔１８の孔径を大きくするように
と訂正する。
　カ．訂正事項ｆ
　段落【００１６】を、
　「本発明による転写リボンは、文字修正用転写塗膜或いは装飾用の着色転写塗膜が設けられている転写リボンであってもよく、転写塗膜の種類、機能、用途は限定されない。
　連動機構はギヤを介して連動するものであっても良い。
　実施例において、第２支軸に支承した巻き取りコア用筒軸の当該第２支軸からの抜け出し方向への移動を規制する規制部を設けてもよい。
　実施例において、第１支軸の軸部材に形成されている突起は、軸部材の円周方向に沿って形成してもよい。」（項番等の削除）
と訂正する。
　キ．訂正事項ｇ
　図面の簡単な説明における符号の説明に、６ａ軸部材、６ｂ突起、１０プーリー、１７切欠き部、１８支軸挿入孔、１８ａ小径部、１８ｂ大径部及び１８ｃ段部を追加する。
　　　
（２）訂正の目的の適否、新規事項の有無及び拡張・変更の存否
　上記訂正事項ａに関して、願書に添付した明細書及び図面（以下、「特許明細書等」という。）には、「転写リボンＲの走行に連動して当該転写リボンＲの走行力で、繰り出しコア１と巻き取りコア２とを回転させる連動機構１３が構成されている。・・・転写リボンＲは粘着膜Ｄを被転写面Ｂ側に転写しながら走行して繰り出しコア１を回転させ、大径プーリー１０と伝動ベルト１２を介して小径プーリー１１が連動回転する」（段落【００１０】〜【００１１】参照。）及び「前記第１支軸６と繰り出しコア用筒軸８とに亘って、第１支軸６と、当該第１支軸６に支承した繰り出しコア用筒軸８とを係合させる係合部材２０を係合解除位置に弾性的に移動可能に設けて、第１支軸６に支承した繰り出しコア用筒軸８の当該第１支軸６からの抜け出し方向への移動を規制する規制部１９が構成されている。前記係合部材２０は、第１支軸６の軸芯をはさんで相対向する二箇所の部位に、軸芯方向に沿ってスリット状の切欠き部１７，１７を形成するとともに、当該両切欠き部１７，１７で二分割される一対の軸部材６ａ，６ａの外周に、夫々、先端から同距離はなれた軸芯方向略中間部に突起６ｂ，６ｂを形成して構成され、軸部材６ａ，６ａの軸芯側への弾性的な倒れ変形で、係合解除位置に移動するよう構成されている。また、前記繰り出しコア用筒軸８の第１支軸６が挿入される孔１８には、分割ケース部材Ｃ１側に装着される小径部１８ａと板状保持部材３側の大径部１８ｂとが形成されているとともに、繰り出しコア用筒軸８の軸芯方向略中間部に段部１８ｃが形成され、小径部１８ａの第１支軸６への挿入始端側に、繰り出しコア用筒軸８の第１支軸６への押し込み操作にともなって、係合部材２０を係合解除位置に移動させる押圧面２１が形成されている。そして、第１支軸６の両突起６ｂ，６ｂと繰り出しコア用筒軸８の段部１８ｃとの係合で、第１支軸６に支承した繰り出しコア用筒軸８の当該第１支軸６からの抜け出し方向への移動が規制される。・・・そして、第１支軸６の先端側に繰り出しコア用筒軸８の小径部１８ａを嵌め込み、その状態で繰り出しコア用筒軸８を分割ケース部材Ｃ１側に押し込むと、押圧面２１が各突起６ｂ，６ｂに接当し、更に、繰り出しコア用筒軸８を押し込むと、両軸部材６ａ，６ａが押圧面２１に押されて、軸芯側へ倒れて、突起６ｂ，６ｂが係合解除位置に弾性的に移動して、小径部１８ａ内に両突起６ｂ，６ｂが入り込み、これら両突起６ｂ，６ｂが繰り出しコア用筒軸８の段部１８ｃを越えて押し込まれると、軸芯側へ倒れていた両軸部材６ａ，６ａが弾性的に移動復帰して、両突起６ｂ，６ｂと段部１８ｃとが係合される。従って、この状態では、繰り出しコア用筒軸８は、第１支軸６に回転自在に支承され、かつ、第１支軸６からの抜け出し方向への移動が規制される。・・・連動機構はギヤを介して連動するものであっても良い。」（段落【００１３】〜【００１６】参照）が、図示と共に記載されている。
　してみると、上記訂正事項ａは、特許明細書等に記載されていた範囲内で、特許請求の範囲の請求項１及び２において、「連動機構（１３）」及び「規制部１９」の各構成を限定したものである。
　ゆえに、上記訂正事項ａは、特許請求の範囲の減縮を目的とするものである。
　また、上記訂正事項ａに伴い、特許請求の範囲の記載との整合を図るための、発明の詳細な説明の記載を訂正（上記訂正事項ｂ乃至ｆ）し、また、図面の簡単な説明の記載を訂正（訂正事項ｇ）した上記訂正事項ｂ乃至ｇは、明りょうでない記載の釈明を目的とするものである。
　さらに、上記訂正事項ａ乃至ｇは、いずれも、実質的に特許請求の範囲を拡張変更するものでない。
　　
（３）むすび
  以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　　　　　
３．特許異議の申し立ての概要
  申立人枝木幸二は、証拠として、甲第１号証（実願平２−８８０５６号（実開平４−４６０６９号）のマイクロフィルム）、甲第２号証（特表平４−５０３０４６号公報）、甲第３号証（実願昭６０−５６５２０号（実開昭６１−１７２２１２号）のマイクロフィルム）及び甲第４号証（森隆著「新版プラスチック射出成型品の設計」株式会社工業調査会発行、１９８５年６月２０日第１版発行、第１４０頁〜第１４１頁）を提出し、本件請求項１及び２に係る発明は、甲第１号証または甲第２号証にに記載された発明と同一で、特許法第２９条第１項第３号に該当するかあるいは甲第１乃至４号証に記載された発明に基づいて当業者が容易に発明をすることができたもので、同法第２９条第１項あるいは同法第２９条第２項の規定により特許を受けることができない旨の主張（主張Ａ）をすると共に、本件特許出願は、明細書の記載が不備で、特許法第３６条第４項及び第５項に規定する要件を満たしていない旨の主張（主張Ｂ）をしている。
　
４．判断
（１）主張Ａについて
　ア．本件発明
　本件請求項１及び２に係る発明（以下、「本件発明１及び２」という。）は、訂正明細書の特許請求の範囲の請求項１及び２に記載されたとおりのものである（上記、２．（１）ア．参照。）。       
　イ．甲各号証に記載された発明
　申立人の提出した上記甲各号証には、本件発明１乃至６に関連する事項として、以下のような事項が記載されている。
　ａ．甲第１号証
　ａ−１
「ハウジング（Ｈ）に所定の姿勢で着脱自在に収納されるカートリッジ（Ｃ）に、転写テープ（Ｔ）を巻き掛けてある操出コア（２）と、この操出コア（２）から操出される転写テープ（Ｔ）を巻き取る巻取コア（３）と、前記操出コア（２）から巻取コア（３）へのテープ移動経路途中において、前記転写テープ（Ｔ）の転写塗膜（Ｔ２）を被転写面（ａ）に転写する転写ヘッド（６）と、前記両コア（２），（３）に対する同一側面側からの軸の係合操作を許容する軸挿入口（８），（７）とが設けられているとともに、前記ハウジング（Ｈ）には、前記軸挿入口（８），（７）を通して前記両コア（２），（３）の夫々に係合する一対の駆動軸（１５），（１３）と、前記転写ヘッド（６）を外部に臨ませる開口部（１０）とが設けられてなる塗膜転写具のテープ保持構造であって、前記ハウジング（Ｈ）は、前記開口部（１０）に対して前記転写ヘッド（６）を挿抜する第１方向でのカートリッジ（Ｃ）の出し入れを許容する装着口（１１）を備えたハウジング本体（９）と、前記装着口（１１）を開閉する開閉蓋（１２）とからなり、前記開閉蓋（１２）の内面には前記駆動軸（１３），（１５）が取付けられているとともに、前記ハウジング本体（９）には、前記第１方向に対して直交する二次元方向でのカートリッジ（Ｃ）の相対移動を阻止する支え部（１７）が設けられ、更に、前記ハウジング本体（９）と開閉蓋（１２）とは、前記第１方向と前記コア（２），（３）に対して前記駆動軸（１３），（１５）を挿抜する第２方向とがほぼ９０度相違する状態で連結されてなる塗膜転写具のテープ保持構造。」（実用新案登録請求の範囲の請求項１）
　ａ−２
「前記運動機構（Ａ）は、第３図及び第４図に示すように、前記開閉蓋（１２）の内面側に突設した直径の異なる二つの受け軸（１２ａ），（１２ｂ）のうち、大径側の受け軸（１２ａ）に、・・・巻取コア（３）のボス部内に係合する第１駆動軸（１３）を回転自在に外嵌保持させるとともに、前記小径側の受け軸（１２ｂ）には、・・・筒状の第２駆動軸（１５）とを、コア回転軸芯方向から相対回転自在に摺接する状態で同軸芯上に外嵌保持させてある。」（１３頁７行〜１４頁１行）
　ａ−３
　第４図から、筒状の受け軸（１２ａ）に、該受け軸（１２ａ）内径より大径で外径より小径の開口が設けられた底面を備える第１駆動軸（１３）を外嵌させて、回転自在に支承させる構成において、受け軸（１２ａ）の内面に嵌合する小径部、前記開口の内面に嵌合する中径部および該中径部より大径の頭部を有するピンにより、第１駆動軸（１３）の受け軸（１２ａ）からの抜け出し方向への移動を規制する構成が看取できる。
　ｂ．甲第２号証
　ｂ−１
「コートされたバッキングテープは、接着剤が塗布されるべき基板状に配置される貼付部の上に供給リールから案内されている。上記把持式装置と基板との間の相対的な動きにより、上記接着剤はバッキングテープから基板へ搬送されるとともに、同時に、接着剤のなくなったバッキングテープは巻取リールにより巻き取られる。」（２頁左下欄４〜９行）
　ｂ−２
「供給リール２０の回転ピン２８および巻取リール２４の回転ピン２９のための２本のジャーナルピン２７，２７ａが下側のハウジングの半割体３ｂに形成されており、上記ジャーナルピン２７は回転ピン２８を軸上に固定するための係止部がその自由端に形成されている」（５頁左上欄９〜１３行）
　ｃ．甲第３号証
　ｃ−１
「基板とこの基板に植設してある軸とこの軸に回転自在に軸支されている回転体とより構成された軸支構造において、上記軸には、上記基板近くにフランジを形成し、上記回転体には、軸方向に伸延してアームを形成し、このアームの先端に係止部を形成し、さらに上記基板側端面には孔が形成され、この孔の深さは、この回転体に上記軸を入れて上記アームの係止部が上記フランジに係止可能なものであることを特徴とする軸支構造。」（実用新案登録請求の範囲）
　ｃ−２
「基板１，ｌａ，ｌｂに軸２，２ａ，２ｂを植設し、この軸を駆動シヤフト３，３ａ，３ｂの孔３３，３３ａ，３３ｂに挿入させると、アーム３１，３１ａ，３１ｂの係止部３２，３２ａ，３２ｂが軸のフランジ２１，２１ａ，２１ｂを乗り越えて自動的に係止される」（３頁１２〜１７行）
　ｄ．甲第４号証
　図５．７６から、円筒状頭部と円筒状軸部との間に環状溝が形成された軸部に対して、この軸部の形状に対応する円筒状空間部を有する筒状又は冠状部材を装着することにより、筒状又は冠状部材の抜けが規制されること
　ウ．対比・判断
　本件発明１と上記甲各号証に記載された発明とを対比すると、
　上記甲各号証のいずれにも、本件発明１の構成要件である、
「前記支軸（６）に支承した前記筒軸（８）の当該支軸（６）からの抜け出し方向への移動を規制する規制部（１９）を構成するのに、
　前記支軸（６）にスリット状の切欠き部（１７），（１７）を軸芯方向に沿って形成し、
　それら切欠き部（１７），（１７）でに分割された前記支軸（６）の一対の軸部材（６ａ），（６ａ）夫々の軸芯方向略中間部における外周に突起（６ｂ），（６ｂ）を形成し、
　前記筒軸（８）の支軸挿入孔（１８）に、挿入始端側の小径部（１８ａ）とそれに続く挿入終端側の大径部（１８ｂ）とを形成し、
　前記筒軸（８）の前記支軸（６）に対する嵌め込みにおいて、前記突起（６ｂ），（６ｂ）が前記小径部（１８ａ）にある状態では、前記一対の軸部材（６ａ），（６ａ）が軸芯側へ弾性的に倒れ変形した状態になり、かつ、前記突起（６ｂ），（６ｂ）が前記小径部（１８ａ）と前記大径部（１８ｂ）の間の段部（１８ｃ）を大径部側へ超えると前記一対の軸部材（６ａ），（６ａ）が弾性的に復帰移動する構造にしてある」
点について、記載も示唆もされておらず、また、該点は、当該技術分野において、周知のことでもない。
　したがって、本件発明１は、上記甲第１乃至４号証に記載された発明と同一といえないばかりでなく、これらに記載された発明から当業者が容易に発明をすることができたものともいえない。
  また、本件発明２は、本件発明１の構成要件の全てを備え、その一部を技術的に限定するものであるから、本件発明１の上記判断と同様な理由で、上記甲第１乃至４号証に記載された発明と同一といえないばかりでなく、これらに記載された発明から当業者が容易に発明をすることができたものともいえない。
　ゆえに、主張Ａは採用できない。
　　
（２）主張Ｂについて
  申立人は、本件特許明細書が記載不備である理由として、以下の主張をしている。
　ア．本件請求項１における「前記支軸（６）側と前記筒軸（８）側とに亘って」の記載はその意味が明確でない、
　イ．本件請求項２における「前記規制部（１９）が、・・・係合部材（２０）を係合解除位置に弾性的に移動可能に設けて構成され」及び「前記係合部材（２０）を係合解除位置に押圧移動させる押圧面（２１）」の各記載は、本件発明の詳細な説明の記載では、「係合部材（２０）」の移動態様が不明である為、本件発明の詳細な説明には本件請求項２に係る発明を当業者が容易に実施できる程度に発明の構成が記載されておらずまた本件請求項２に係る発明は、本件発明の詳細な説明に記載した発明を記載したものでない。
　しかし、上記訂正で、支軸（６）と筒軸（８）のそれぞれの構成が限定されることにより、「規制部（１９）」が「前記支軸（６）側と前記筒軸（８）側とに亘って」と特定される必要がなくなり、当該表現自体は削除されている（上記２．（１）ア．参照。）。
　また、この限定は、当該規制部（１９）の一部の構成であった「係合部材（２０）」の限定をも伴っている、すなわち、「係合部材（２０）」をより具体的形態（突起（６ｂ），（６ｂ）等）に限定することにより、筒軸（８）の支軸（６）からの抜け出し方向への移動を規制する態様と押圧面（２１）がより明確化されている（抽象化した構成を指していた「係合部材（２０）」自体及びこれを使用する表現自体は除かれている。上記２．（１）ア．参照。）。
　したがって、申立人が主張する本件特許明細書に関する上記記載不備は、解消されている。
　ゆえに、主張Ｂも採用することができない。
　　
４．むすび
　以上のとおりであるから、特許異議申し立ての理由及び証拠方法によっては、本件請求項１及び２に係る発明についての特許を取り消すことができない。
　また、他に本件請求項１及び２に係る発明についての特許を取り消すべき理由を発見しない。
　したがって、本件請求項１及び２に係る発明についての特許は、拒絶の査定をしなければならない特許出願に対してされたものと認めない。
　よって、結論のとおり決定する。
【異議決定日】
平成１６年９月７日（２００４．９．７）
【訂正の要旨】
審決（決定）の【理由】欄参照。
（５４）【発明の名称】
塗膜転写具
（５７）【特許請求の範囲】
　【請求項１】　転写具ケース（Ｃ）に固定してある支軸（６）に筒軸（８）が回転自在に支承され、転写リボン（Ｒ）の巻付けコア（１）が、前記筒軸（８）に、当該筒軸（８）と一体回転する状態で装脱自在に支承されているとともに、前記転写リボン（Ｒ）の走行に連動して当該転写リボン（Ｒ）の走行力で前記筒軸（８）を回転させる連動機構（１３）が設けら
れ、この連動機構（１３）を構成する転写リボン走行連動用のプーリー（１０）又はギヤを前記筒軸（８）に設けてある
　
前記支軸（６）に支承した前記筒軸（８）の当該支軸（６）からの抜け出し方向への移動を規制する規制部（１９）を構成するのに、
　
前記支軸（６）に、スリット状の切欠き部（１７），（１７）を軸芯方向に沿って形成し、
　
それら切欠き部（１７），（１７）で二分割された前記支軸（６）の一対の軸部材（６ａ），（６ａ）夫々の軸芯方向略中間部における外周に突起（６ｂ），（６ｂ）を形成し、
　
前記筒軸（８）の支軸挿入孔（１８）に、挿入始端側の小径部（１８ａ）とそれに続く挿入終端側の大径部（１８ｂ）とを形成し、
　
前記筒軸（８）の前記支軸（６）に対する嵌め込みにおいて、前記突起（６ｂ），（６ｂ）が前記小径部（１８ａ）にある状態では、前記一対の軸部材（６ａ），（６ａ）が軸芯側へ弾性的に倒れ変形した状態になり、かつ、前記突起（６ｂ），（６ｂ）が前記小径部（１８ａ）と前記大径部（１８ｂ）の間の段部（１８ｃ）を大径部側へ越えると前記一対の軸部材（６ａ），（６ａ）が弾性的に復帰移動する構造にしてある
　【請求項２】
　前
前記突起（６ｂ），（６ｂ）への接当により前記一対の軸部材（６ａ），（６ａ）を軸芯側へ弾性的に倒れ変形させる押圧面（２１）を、前記筒軸（８）における前記支軸挿入孔（１８）の挿入始端側開口縁部に、挿入始端側ほど前記支軸挿入孔（１８）の孔径を大きくするように形成してある
【発明の詳細な説明】
　【０００１】
　【産業上の利用分野】
　本発明は、転写具ケースに固定してある支軸に筒軸が回転自在に支承され、転写リボンの巻付けコアが、前記筒軸に、当該筒軸と一体回転する状態で装脱自在に支承されているとともに、前記転写リボンの走行に連動して当該転写リボンの走行力で前記筒軸を回転させる連動機構が設けられている塗膜転写具に関する。
　【０００２】
　【従来の技術】
　冒記塗膜転写具は、転写リボンの巻付けコアを筒軸と一体回転させて、転写リボンの走行に連動して巻付けコアが回転するよう構成したものであるが、従来、図８に示すように、筒軸８を、転写具ケースＣに一体的に固定してある支軸６に対して抜き差し自在に遊嵌している。
　【０００３】
　【発明が解決しようとする課題】
　この為、転写リボンＲの交換時のように、巻付けコア１を筒軸８から抜き取る際には、筒軸８が巻付けコア１と共に支軸６から抜け出す方向に移動して、連動機構を構成している伝動ベルト１２が筒軸８に設けたプーリー１０から脱落したり、更には、筒軸８が支軸６から完全に抜け落ちたりすることがあり、この場合は、筒軸８を元の取付け状態に修復するために多大の手間と熟練を要するから、転写リボンＲの交換を慎重に行わなければならない欠点がある。
　【０００４】
　本発明は、上記実情に鑑みて為されたものであって、支軸と筒軸との支承構造を工夫することにより、連動機構の連動部材どうしの連係が外れにくい状態で、転写リボンの巻付けコアを筒軸から簡便に抜き取ることができる塗膜転写具を提供することを目的としている。
　【０００５】
　【課題を解決するための手段】
　上記目的を達成する為の本発明の特徴構成は、
転写具ケースに固定してある支軸に筒軸が回転自在に支承され、転写リボンの巻付けコアが、前記筒軸に、当該筒軸と一体回転する状態で装脱自在に支承されているとともに、前記転写リボンの走行に連動して当該転写リボンの走行力で前記筒軸を回転させる連動機構が設けられ、この連動機構を構成する転写リボン走行連動用のプーリー又はギヤを前記筒軸に設けてある
　
前記支軸に支承した前記筒軸の当該支軸からの抜け出し方向への移動を規制する規制部を構成するのに、
　
前記支軸に、スリット状の切欠き部を軸芯方向に沿って形成し、
　
それら切欠き部で二分割された前記支軸の一対の軸部材夫々の軸芯方向略中間部における外周に突起を形成し、
　
前記筒軸の支軸挿入孔に、挿入始端側の小径部とそれに続く挿入終端側の大径部とを形成し、
　
前記筒軸の前記支軸に対する嵌め込みにおいて、前記突起が前記小径部にある状態では、前記一対の軸部材が軸芯側へ弾性的に倒れ変形した状態になり、かつ、前記突起が前記小径部と前記大径部の間の段部を大径部側へ越えると前記一対の軸部材が弾性的に復帰移動する構造にしてある
　
なお、前記筒軸の前記支軸への装着操作にともなって前記突起への接当により前記一対の軸部材を軸芯側へ弾性的に倒れ変形させる押圧面を、前記筒軸における前記支軸挿入孔の挿入始端側開口縁部に、挿入始端側ほど前記支軸挿入孔の孔径を大きくするように形成してもよい。
　【０００６】
　【作用】
　筒軸が支軸によって抜け出す方向への移動を規制されているので、転写リボンの巻付けコアを筒軸から抜き取る際に、筒軸が巻付けコアと共に支軸から抜け出す方向に移動しにくい
。
　【０００７】
　【発明の効果】
　請求項１記載の塗膜転写具は、連動機構の連動部材どうしの連係が外れにくい状態で、転写リボンの巻付けコアを筒軸から簡便に抜き取ることができる。
　請求項２記載の塗膜転写具は、筒軸を支軸に組付ける際の作業性が良い。
　【０００８】
　【実施例】
　図７は、転写リボンカセットＡを樹脂製の転写具ケースＣ内に装着した粘着膜転写具を示し、転写リボンカセットＡは、図６に示すように、一側面に転写塗膜の一例としての接着用粘着膜Ｄを設けてある転写リボンＲが、粘着膜Ｄ側を外向きにして樹脂製繰り出しコア１と樹脂製巻き取りコア２とに亘って巻き掛けられているとともに、各コア１，２が転写具ケースＣに対して装着可能な相対姿勢で樹脂製の板状保持部材３に回転自在に片持ち保持され、転写リボンＲを紙等の被転写面Ｂ側に押圧して粘着膜Ｄをその被転写面Ｂに転写させる転写ヘッドである押圧ローラー４が設けられている。
　【０００９】
　前記転写具ケースＣは、図１、図２、図５に示すように、リボン幅方向で二つの分割ケース部材Ｃ１，Ｃ２をヒンジ５を介して開閉自在に連結して構成されているとともに、一方の分割ケース部材Ｃ１に一体形成して固定してある筒状の第１支軸６と筒状の第２支軸７とのうち、第１支軸６に繰り出しコア用筒軸８が回転自在に支承され、第２支軸７に巻き取りコア用筒軸９が回転自在に支承されている。
　前記繰り出しコア用筒軸８には、前記転写リボンカセットＡに保持された繰り出しコア１が、繰り出しコア用筒軸８と一体回転する状態で装脱自在に外嵌されているとともに、前記巻き取りコア用筒軸９には、転写リボンカセットＡに保持された巻き取りコア２が、巻き取りコア用筒軸９と一体回転する状態で装脱自在に外嵌されている。
　【００１０】
　前記繰り出しコア用筒軸８の分割ケース部材Ｃ１側の基部に大径プーリー１０を一体形成するとともに、前記巻き取りコア用筒軸９の分割ケース部材Ｃ１側の基部に、小径プーリー１１を一体形成して、大径プーリー１０と小径プーリー１１とに亘って伝動ベルト１２を巻き掛けて、転写リボンＲの走行に連動して当該転写リボンＲの走行力で、繰り出しコア１と巻き取りコア２とを回転させる連動機構１３が構成されている。
　【００１１】
　そして、転写リボンＲの粘着膜Ｄを被転写面Ｂ側に押圧しながら押圧ローラー４を転動させると、転写リボンＲは粘着膜Ｄを被転写面Ｂ側に転写しながら走行して繰り出しコア１を回転させ、大径プーリー１０と伝動ベルト１２を介して小径プーリー１１が連動回転するとともに、巻き取りコア２が回転して使用済みの転写リボンＲが巻き取られる。
　【００１２】
　前記分割ケース部材Ｃ１，Ｃ２には、図２に示すように、当該分割ケース部材Ｃ１，Ｃ２どうしを閉じると互いに係合する係合爪１４，１５が設けられ、転写具ケースＣを閉じた状態で板状保持部材３が両分割ケース部材Ｃ１，Ｃ２の間に挟み付けられて、転写リボンカセットＡのがたつきが阻止されるとともに、一方の分割ケース部材Ｃ１に設けた押圧部１６を内側に向けて指で押圧すると、係合爪１４，１５どうしの係合が外れて、転写リボンカセットＡを開放できるよう構成してある。
　【００１３】
　図３，図４に示すよう
に、第
　【００１４】
　前記係合部材２０は、第１支軸６の軸芯をはさんで相対向する二箇所の部位に、軸芯方向に沿ってスリット状の切欠き部１７，１７を形成するとともに、当該両切欠き部１７，１７で二分割される一対の軸部材６ａ，６ａの外周に、夫々、先端から同距離はなれた軸芯方向略中間部に突起６ｂ，６ｂを形成して構成され、軸部材６ａ，６ａの軸芯側への弾性的な倒れ変形で、係合解除位置に移動するよう構成されている。
　また、前記繰り出しコア用筒軸８の第１支軸６が挿入される孔１８には、分割ケース部材Ｃ１側
（すなわち、挿入始端側）
（すなわち、挿入終端側）
（詳しくは、図３に示す如く繰り出しコア用筒軸８における支軸挿入孔１８の挿入始端側開口縁部）には、
て係
（具体的には、突起６ｂ，６ｂへの接当により一対の軸部材６ａ，６ａを軸芯側へ弾性的に倒れ変形）
、挿入始端側ほど支軸挿入孔１８の孔径を大きくするように
　そして、第１支軸６の両突起６ｂ，６ｂと繰り出しコア用筒軸８の段部１８ｃとの係合で、第１支軸６に支承した繰り出しコア用筒軸８の当該第１支軸６からの抜け出し方向への移動が規制される。
　【００１５】
　そして、第１支軸６の先端側に繰り出しコア用筒軸８の小径部１８ａを嵌め込み、その状態で繰り出しコア用筒軸８を分割ケース部材Ｃ１側に押し込むと、押圧面２１が各突起６ｂ，６ｂに接当し、更に、繰り出しコア用筒軸８を押し込むと、両軸部材６ａ，６ａが押圧面２１に押されて、軸芯側へ倒れて、突起６ｂ，６ｂが係合解除位置に弾性的に移動して、小径部１８ａ内に両突起６ｂ，６ｂが入り込み、これら両突起６ｂ，６ｂが繰り出しコア用筒軸８の段部１８ｃを越えて押し込まれると、軸芯側へ倒れていた両軸部材６ａ，６ａが弾性的に移動復帰して、両突起６ｂ，６ｂと段部１８ｃとが係合される。
　従って、この状態では、繰り出しコア用筒軸８は、第１支軸６に回転自在に支承され、かつ、第１支軸６からの抜け出し方向への移動が規制される。
　【００１６】
〔その他の実施例〕
　本
　連
　実施例において、
　実
て形
　【００１７】
　尚、特許請求の範囲の項に図面との対照を便利にするために符号を記すが、該記入により本発明は添付図面の構成に限定されるものではない。
【図面の簡単な説明】
　【図１】
　塗膜転写具の断面図
　【図２】
　図１のＩＩ−ＩＩ線断面図
　【図３】
　コアを取り外した状態の要部断面図
　【図４】
　図３のＩＶ−ＩＶ線断面図
　【図５】
　分割ケースを開いた状態の平面図
　【図６】
　転写リボンカセットの斜視図
　【図７】
　使用状態を示す斜視図
　【図８】
　従来例を示す要部断面図
　【符号の説明】
　Ｃ　　　転写具ケース
　Ｒ　　　転写リボン
　１　　　巻付けコア
　６　　　支軸
　
６ａ　　軸部材
　
６ｂ　　突起
　８　　　筒軸
　
１０　　プーリー
　１３　　連動機構
　
１７　　切欠き部
　
１８　　支軸挿入孔
　
１８ａ　小径部
　
１８ｂ　大径部
　
１８ｃ　段部
　１９　規制部
　２１　押圧面